(57)【要約】      （修正有）【課題】家具等に取り付けられる複数のキャスターのロックが容易にできるようにしたキャスターのロック装置を提供する。【解決手段】取り付け板体２の下面に相対する位置に昇降可能に設けられ、下降位置において取り付け板体２の下面に取り付けられる複数のキャスター５０の周面に当接してキャスター５０をロックするロックプレート１５と、取り付け板体２の下面から外方に延び出す足踏み操作部１１と、足踏み操作部１１における操作に連動回転してロックプレート１５を当接位置まで下降させるカム体とからなる。【選択図】図１
0003203514.tif 000002
【実用新案登録請求の範囲】
【請求項１】
取り付け板体の下面に相対する位置に昇降可能に設けられ、上昇位置において前記取り付け板体の下面に取り付けられる複数のキャスターの周面に当接して前記キャスターをロックするロックプレートと、
前記取り付け板体の下面から外方に延び出す足踏み操作部と、
前記足踏み操作部における操作に連動回転して前記ロックプレートを前記当接位置まで上昇させるカム体と、
からなることを特徴とするキャスターのロック装置。
【請求項２】
前記ロックプレートの前記キャスターの周面に当接する位置に、樹脂製の密着性、かつ、弾力性の密着プレートが設けられてなる請求項１記載のキャスターのロック装置。
【考案の詳細な説明】
【技術分野】
【０００１】  この考案は、家具等に取り付けられるキャスターのロック装置に関する。
【背景技術】
【０００２】  例えば、病院でベットの枕元に配置される床頭台には底面にキャスターが取り付けられており、これにより床頭台は配置位置や配置方向が容易に変えられることで便利に使用されている。
【考案の概念】
【考案が解決しようとする課題】
【０００３】  しかしながら、一方ではキャスターがあることで配置状態が安定しないという問題があり、とくに、地震が発生した場合には大きく移動して危険な状態が発生する。キャスターそのものに回転ロック機構を持たせたものが提供されているが、複数個のキャスターにおいてロック操作を行うには非常に手間がかかった。
【０００４】  この考案は、上記の事情に鑑みて行ったもので、家具等に取り付けられる複数のキャスターのロックが容易にできるようにすることを目的とする。
【課題を解決するための手段】
【０００５】  この考案では、取り付け板体の下面に相対する位置に昇降可能に設けられ、下降位置において前記取り付け板体の下面に取り付けられる複数のキャスターの周面に当接して前記キャスターをロックするロックプレートと、前記取り付け板体の下面から外方に延び出す足踏み操作部と、前記足踏み操作部における操作に連動回転して前記ロックプレートを前記当接位置まで下降させるカム体とからなることを特徴とするキャスターのロック装置を提供する。
【０００６】  上記構成によれば、足踏み操作部を操作することで連動回転するカム体がロックプレートを下降させ、ロックプレートはその下降位置において複数のキャスターの周面に当接してキャスターのロックを行う。足踏み操作によって複数のキャスターのロックが同時に行える。ロックプレートによりロックされるキャスターの数は、ロックプレートの大きさ、形状を変えることで２個以上の適宜数とされる。
【０００７】  ロックプレートのキャスターの周面に当接する位置に、シリコン樹脂やテフロン樹脂等の密着性を持ち、かつ、弾力性の密着プレートが設けられてなる構成とすることで、その密着プレートがキャスターの周面に弾力的に密着することでキャスターのロック効果が高められる。さらに、密着プレートとキャスターの周面との当接時の衝撃が、密着プレートが弾力性を持つ樹脂からなることで軽減され、部品の損傷が回避されるとともに静粛に使用される。
【考案の効果】
【０００８】  この考案によれば、家具等に取り付けられるキャスターのロックが容易にできるようになって、これによりキャスター付き家具等が安全に使用できるようになる。
【図面の簡単な説明】
【０００９】
【図１】  この考案のキャスターのロック装置の使用状態図
【図２】  この考案のキャスターのロック装置の使用状態図
【図３】  この考案のキャスターのロック装置の分解構成図
【図４】  この考案のキャスターのロック装置の断面構成図
【図５】  この考案のキャスターのロック装置の動作説明図
【考案を実施するための形態】
【００１０】  図１、図２はこの考案のキャスターのロック装置の使用状態図、図３は同分解構成図、図４は同断面構成図である。キャスターのロック装置１は家具の底板等に相当する取り付け板体２の下面前部に取り付けられる。３は金属製の方形のベースプレートで、取り付け板体２の下面にネジ固定される。ベースプレート３の４隅近傍には円柱状で上面にネジ穴８を備えるガイドピン４のそれぞれが立設固定されており、中央位置には軸支取り付け部５が固設され、その軸支取り付け部５に両端が回転可能に軸支されて樹脂製のカム体７が取り付けられている。カム体７の軸芯９は金属製の角柱よりなり、その前端側に足踏み操作部１１が取り付けられている。足踏み操作部１１は金属製の足踏みプレート１３に樹脂製の取り付け部材１４がネジ固定されており、その取り付け部材１４にカム体７の軸芯９が埋設固定されている。
【００１１】  １５は金属プレートが折り曲げ形成されたロックプレートであり、その中央部に下方に突出するボックス部１７を備え、その両側位置に２個ずつのガイド穴１９が設けられ、両端近傍の前側には切欠き凹部２１のそれぞれが設けられ、両端部分の上面には切欠き凹部２１のそれぞれを残すようにシリコン樹脂やテフロン樹脂よりなる密着性、かつ、弾力性を持つ密着プレート２３のそれぞれが貼り付けられて取り付けられている。
【００１２】  ロックプレート１５はそのガイド穴１９のそれぞれにコイルバネ３０が装着された状態のガイドピン４のそれぞれが挿通され、環状の押さえ片３２を通して固定ネジ３４がガイドピン４のネジ穴８に螺入固定されることでベースプレート３に取り付けられ、その取り付け状態においてボックス部１７がカム体７上を覆い、カム体７の露呈する軸芯９はボックス部１７前面の切欠き部３５内に位置する。また、ロックプレート１５はコイルバネ３０によって常時上方に付勢されていて、ボックス部１７の内面にカム体７が弾力的に当接する状態となっている。
【００１３】  キャスターのロック装置１は、上記のようにベースプレート３にロックプレート１５が一体に取り付けられた状態において、ロックプレート１５の切欠き部２１に前側のキャスター５０それぞれのネック部が入り込むように取り付け板体２の下面前部に配置され、ベースプレート３がネジ固定されて取り付けられる。
【００１４】  図１、図２、図４はキャスター５０それぞれがロックされた状態を示している。図５はカム体７の動作を示し、点線で示す状態がキャスター５０のロックされていない状態である。そのロックされていない状態において足踏みプレート１３の右側１３ａがコイルバネ３０のバネ力に抗して踏み込まれてカム体７が矢印方向に回転されると、実線で示すようにカム体７によりボックス部１７が矢印方向に押し下げられてロックプレート１５が下降される。これにより、図４において一点鎖線Ｘで示す密着プレート２３面がキャスター５０の周面に弾力的に密着してキャスター５０が強固にロックされる。両側にある密着プレート２３それぞれによって左右のキャスター５０がともにロックされる。足踏みプレート１３の左側１３ｂが踏み込まれることで、点線で示すキャスター５０のロックされていない状態に復帰する。上記の密着プレート２３とキャスター５０の周面との当接時には、密着プレート２３が弾力性がある樹脂よりなることで衝撃が軽減され、部品の損傷が回避されるとともに騒音が発生しない。
【００１５】  キャスター５０はその方向が自在となるように水平位置において回転変位するように設けられているが、どの変位位置においてもキャスター５０がロックされるように密着プレート２３が配置設計されている。また、ロックプレート１５の下降、上昇は、ガイド穴１９のそれぞれにガイドピン４のそれぞれが挿通されていることで、傾くことなく安定して行われる。
【符号の説明】
【００１６】１      キャスターのロック装置
２      取り付け板体
３      ベースプレート
７      カム体
１１    踏み込み操作部
１５    ロックプレート
２３    密着プレート
５０    キャスター
【図１】
0003203514.tif 000003
【図２】
0003203514.tif 000004
【図３】
0003203514.tif 000005
【図４】
0003203514.tif 000006
【図５】
0003203514.tif 000007